(57)【要約】      （修正有）【課題】河川等の護岸工を設置している所と護岸工を設置していない所の境界で発生する浸食等を防止する護岸構造を提供する。【解決手段】護岸工の列の一番川下の位置にあるコンクリートブロック３から川の中心側に離れた所に、川端側が直線的で川の中央側が曲線的な形状の固定堰８を設置する。護岸工と固定堰８の間を流れる流速と曲線的な形状から流れてくる流速との流速差を生み出す固定堰８と、護岸工と固定堰の間にある川上側の流入部の幅と護岸工と固定堰の間の川下側の流出部１０の幅を調整し固定することで流速を変える。これにより、固定堰の曲線側を掘って流れてくる流速より早くなり護岸工を設置している所と護岸工を設置していない所の間で発生する浸食等を防止する。【選択図】図２
0003178462.tif 000002
【実用新案登録請求の範囲】
【請求項１】
護岸工の列の一番川下の位置にあるコンクリートブロックから川の中心側に離れた所に、川端側が直線的で川の中央側が曲線的な形状の固定堰を設置することで、護岸工と固定堰の間を流れる流速と曲線的な形状から流れてくる流速との流速差を利用して護岸工の設置してある個所と護岸工を設置していない箇所で発生する浸食等を防止する護岸工法
【請求項２】
護岸工と固定堰の間にある川上側の流入部の幅と護岸工と固定堰の間の川下側の流出部の幅を調整し固定することで流速を変えることで、固定堰の曲線側を沿って流れてくる流速より早くすることで護岸工を設置している所と護岸工を設置していない所で発生する浸食等を防止する特徴とする請求項１記載の護岸工法
【考案の詳細な説明】
【技術分野】
【０００１】  本発明は、河川等の護岸工を設置している所と護岸工を設置していない所で発生する浸食等を防ぐための固定堰とその護岸方法に関する発明である。
【背景技術】
【０００２】  従来の護岸は、堤防を流れによる浸食や浸透から守るための構造物であり、最近では生物の生息しやすい構造物や、資源の再利用による構造物も増えた。
【先行技術文献】
【特許文献】
【０００３】  特公開１０−１８３５７１のように護岸ブロックを形成することで、護岸の浸食を防ぐとともに水辺の生態系を守るものであった。
【考案の概要】
【考案が解決しようとする課題】
【０００４】  本考案で解決しようとする課題は、護岸工事した所と護岸工事していない所との間で発生する浸食を防ぐ護岸方法である。
【課題を解決するための手段】
【０００５】  本発明は、護岸工事して護岸工を設置した一番川下側に位置で、かつ川の中央側に少し離れたところに固定堰を設置することで護岸工事をした所と護岸工事をしない所で発生する渦を川端に流れ込まないようにする。【０００６】  固定堰の形状は図１のように、川端側を直線的に、中央側を曲線的な形状にすることで、固定堰を通過する際、直線側から流れてくる流速と曲線側から流れてくる流速の差で川端に流れにくいようにする。【０００７】  固定堰は、護岸工事をする前の流量により、図２のようにコンクリートブロックと固定堰の流入側の距離とコンクリートブロックと固定堰の流出側の距離を変えて、川端に渦が流れないようにして護岸工の端の浸食を防ぐ。
【考案の効果】
【０００８】  固定堰で水流が川端側の直線的の方と川の中央側の曲線側に分かれ、直線側はそのままの流速で流れるが、曲線側は曲線に沿って移動するため流速が遅くなることで渦が発生し、渦の回転で川端に流れ込むのを防ぐ。【０００９】  固定堰の中央側の曲線部分の頂点は、固定堰の全長の半分以下に位置することで、より多くの圧力損失を発生させることで、中央側の流速を下げ、川端側と中央側との合流時の流速差を大きくし川岸側に渦が流れ込まないようにする。【００１０】  護岸工と固定堰の間の距離は、施工前の流速を踏まえて固定し、流速が川端の流速と中央部分の速度差が大きい場合、護岸工と固定堰の間で流入側の幅と比較して護岸工と固定堰の間で流出側の幅を小さくすることで川端側の流出速度を速めることで、直線側と曲線川との合流時の流速差を広げて渦を川端に流れ込まないようにする。
【図面の簡単な説明】
【００１１】
【図１】固定堰の形状
【図２】護岸工と固定堰の位置
【図３】全体の斜面図
【図４】全体図の透視図
【図５】縦型スクリューを護岸工と固定堰の間に取り付けた図
【考案を実施するための形態】
【００１２】  本発明は、土手２や農地等の陸地と河川との間に陸地側が崩れないようにコンクリート壁１で土手２の崩れないようにし、コンクリート壁１と水制の役割を持つコンクリートブロック３との間にラス４を入れてモルタル等の固定剤５で固定しコンクリート壁１とコンクリートブロック３で両方の強度を強める。
【００１３】  コンクリートブロック３は設置予定の岩盤６に護岸工完成予定高さに合わせた長さの杭７を打ち、岩盤６と中央に杭７が通るくらいの穴の開いたコンクリートブロック３を通し、コンクリートブロック３と岩盤６の間にモルタル等の固定剤５を入れることで固定し、かつコンクリートブロック３の面を水平にする。
【００１４】  上記の状態の上にモルタル等の固定剤５を塗り、他の中央の穴の開いたコンクリートブロック３を積み重ねる。この作業を護岸工事予定高さまで積み上げ固定していく。
【００１５】  川端側が直線的で川の中央側が曲線的な形状の固定堰８を固定する際に、初めにコンクリートブロック３の設置場所と固定堰８の設置予定の場所の間の流速と川の中央部の流速を測定し、流速差が大きい場合はコンクリートブロック３と固定堰８の間で流入側９の幅と比較してコンクリートブロック３と固定堰８の間で流出側１０の幅を小さくすることで川端側の流出速度を速め、直線側と曲線側との合流時の流速差を広げて渦を川端に流れ込まない位置にコンクリートブロック３を岩盤６に杭７を打ち、岩盤６とコンクリートブロック３の間をモルタルなどの固定剤５を用いて固定する。
【００１６】  積み重ねたコンクリートブロック３でできた護岸工の列の中で一番川下の位置にあるコンクリートブロック３の前にあたる川の中央側の距離を置いた所に、川端側が直線的で川の中央側が曲線的な形状の固定堰８をモルタル等の固定剤５で岩盤６に固定する。
【産業上の利用可能性】
【００１７】  護岸工を形成するコンクリートブロック３と固定堰８は、構造物の解体などで発生した板状のコンクリート屑を整形してコンクリートブロック３および固定堰８を作り出すことで、廃棄されるコンクリートの量を低減することができる。【００１８】  図５のように護岸工と固定堰８の間に縦型スクリュー１１を設置し、モーター等を使い電気も起こすことで。
【符号の説明】
【００１９】１    コンクリート壁
２    土手
３    コンクリートブロック
４    ラス
５    固定剤
６    岩盤
７    杭
８    固定堰
９    流入側
１０  流出側
１１  縦型スクリュー
【図１】
0003178462.tif 000003
【図２】
0003178462.tif 000004
【図３】
0003178462.tif 000005
【図４】
0003178462.tif 000006
【図５】
0003178462.tif 000007
【手続補正書】
【提出日】平成24年5月7日(2012.5.7)
【手続補正１】
【補正対象書類名】実用新案登録請求の範囲
【補正対象項目名】全文
【補正方法】変更
【補正の内容】
【実用新案登録請求の範囲】
【請求項１】
護岸工の列の一番川下の位置にあるコンクリートブロックから川の中心側に離れた所に、川端側が直線的で川の中央側が曲線的な形状の固定堰を設置することで、護岸工と固定堰の間を流れる流速と曲線的な形状から流れてくる流速との流速差を利用して護岸工の設置してある個所と護岸工を設置していない箇所で発生する浸食等を防止する護岸構造
【請求項２】
護岸工と固定堰の間にある川上側の流入部の幅と護岸工と固定堰の間の川下側の流出部の幅を調整し固定することで流速を変えることで、固定堰の曲線側を沿って流れてくる流速より早くすることで護岸工を設置している所と護岸工を設置していない所で発生する浸食等を防止する特徴とする請求項１記載の護岸構造
【手続補正書】
【提出日】平成24年6月25日(2012.6.25)
【手続補正１】
【補正対象書類名】実用新案登録請求の範囲
【補正対象項目名】全文
【補正方法】変更
【補正の内容】
【実用新案登録請求の範囲】
【請求項１】
護岸工の列の一番川下の位置にあるコンクリートブロックから川の中心側に離れた所に、川端側が直線的で川の中央側が曲線的な形状の固定堰を設置することで、護岸工と固定堰の間を流れる流速と曲線的な形状から流れてくる流速との流速差を利用して護岸工の設置してある個所と護岸工を設置していない箇所で発生する浸食等を防止する護岸構造
【請求項２】
護岸工と固定堰の間にある川上側の流入部の幅と護岸工と固定堰の間の川下側の流出部の幅は、川上側の流入部の幅より川下側の流出部の幅を小さくことで、固定堰の曲線側を沿って流れてくる流速より早くすることで護岸工を設置している所と護岸工を設置していない所で発生する浸食等を防止する特徴とする請求項１記載の護岸構造